(57)【要約】【課題】  表示部に安価なセグメントディスプレイなどを適用しており、且つ接続状態で携帯オーディオ機器が入力された画像データを表示するようにしている場合でも、携帯オーディオ機器の表示部を利用して、ユーザに対して有用な情報を提供することが可能な「車載用オーディオ装置及び車載用オーディオ装置の情報の画像化及び送出方法」を提供する。【解決手段】  携帯オーディオ機器２００と接続可能な車載用オーディオ装置１００であって、接続状態にある携帯オーディオ機器２００から読み取ったオーディオデータに対応する楽曲情報データをもとに、携帯オーディオ機器２００で表示可能な形式の送出用画像データを生成する表示生成部１４と、表示生成部１４が生成した送出用画像データを、接続状態にある携帯オーディオ機器２００に送出する通信部１１とを備える。【選択図】  図１
2008146755.tif 000002
【特許請求の範囲】
【請求項１】
携帯オーディオ機器と接続可能な車載用オーディオ装置であって、
視覚的に伝達可能な情報を内容とする情報データをもとに、前記携帯オーディオ機器で表示可能な形式の送出用画像データを生成する画像データ生成手段と、該画像データ生成手段が生成した送出用画像データを、接続状態にある前記携帯オーディオ機器に送出する画像データ送出手段とを備えることを特徴とする車載用オーディオ装置。
【請求項２】
前記情報データが、接続状態にある携帯オーディオ機器から読み取ったオーディオデータに対応する楽曲情報データであることを特徴とする請求項１記載の車載用オーディオ装置。
【請求項３】
再生指令に基づき、接続状態にある前記携帯オーディオ機器からオーディオデータと該オーディオデータに対応する楽曲情報データを読み取った際に、前記画像データ生成手段が、読み取った楽曲情報データをもとに前記送出用画像データを生成するとともに、前記画像送出手段が該送出用画像データを前記携帯オーディオ機器に送出することを特徴とする請求項２記載の車載用オーディオ装置。
【請求項４】
前記楽曲情報データが、楽曲に関連する文字情報を内容とする楽曲文字データであることを特徴とする請求項２または３記載の車載用オーディオ装置。
【請求項５】
さらに前記画像データ生成手段が、フォントデータを格納したデータ格納手段から、前記楽曲文字データを構成する前記文字データに対応するフォントデータを前記データ格納手段から読み取るとともに、読み取ったフォントデータをもとに前記送出用画像データを生成することを特徴とする請求項４記載の車載用オーディオ装置。
【請求項６】
前記楽曲情報データが、楽曲に関連する画像情報を内容とする楽曲画像データであることを特徴とする請求項２または３記載の車載用オーディオ装置。
【請求項７】
さらに前記画像データ生成手段が前記送出用画像データを生成する前に、前記楽曲画像データの形式を判別する画像データ形式判別手段を備えるとともに、該画像データ判別手段が判別した楽曲画像データの形式が、前記携帯オーディオ機器で表示可能な画像データの形式である場合に、前記画像データ送出手段が、前記画像データ形式判別手段が判別を行った楽曲画像データを前記送出用画像データとして前記携帯オーディオ機器に送出することを特徴とする請求項６記載の車載用オーディオ装置。
【請求項８】
前記情報データが、前記オーディオ装置の機能に対する設定情報を模式的に示した画像情報を内容とする設定情報画像データであることを特徴とする請求項１記載の車載用オーディオ装置。
【請求項９】
前記オーディオ装置の機能に対する設定を行うための設定モードが選択操作されたときに、前記画像データ生成手段が、選択操作された設定モードの設定対象となる機能に対応する設定情報画像データをもとに前記送出用画像データを生成するとともに、前記画像送出手段が該送出用画像データを前記携帯オーディオ機器に送出することを特徴とする請求項８記載の車載用オーディオ装置。
【請求項１０】
前記オーディオ装置の機能に対する設定操作が行われたときに、前記画像データ生成手段が、設定操作が行われた機能に対応する前記設定情報画像データをもとに前記送出用画像データを生成するとともに、前記画像送出手段が該送出用画像データを前記携帯オーディオ機器に送出することを特徴とする請求項８または９記載の車載用オーディオ装置。
【請求項１１】
前記設定情報が、前記オーディオ装置のスピーカ各々の発音タイミングを調整可能にする機能に対する設定情報であるとともに、前記設定情報画像データが、前記設定情報をスピーカの仮想配置で模式的に示した画像を内容とするデータであることを特徴とする請求項８から１０いずれか１項記載の車載用オーディオ装置。
【請求項１２】
さらに前記設定情報を内容とする設定情報データをもとに、前記設定情報画像データを生成する設定情報画像生成手段を備えることを特徴とする請求項８から１１いずれか１項記載の車載用オーディオ装置。
【請求項１３】
前記送出用画像データがビットマップ形式の画像データであることを特徴とする請求項１から１３いずれか１項記載の車載用オーディオ装置。
【請求項１４】
携帯オーディオ機器と接続可能な車載用オーディオ装置の情報の画像化及び送出方法であって、
視覚的に伝達可能な情報を内容とする情報データをもとに前記携帯オーディオ機器で表示可能な形式の送出用画像データを生成し、生成した送出用画像データを接続状態にある前記携帯オーディオ機器に送出することを特徴とする車載用オーディオ装置の情報の画像化及び送出方法。
【請求項１５】
前記情報データが、接続状態にある携帯オーディオ機器から読み取ったオーディオデータに対応する楽曲情報データである場合に、再生指令に基づき、接続状態にある前記携帯オーディオ機器からオーディオデータと該オーディオデータに対応する楽曲情報データを読み取った際に、読み取った楽曲情報データをもとに前記送出用画像データを生成するとともに、該送出用画像データを前記携帯オーディオ機器に送出することを特徴とする請求項１４記載の車載用オーディオ装置の情報の画像化及び送出方法。
【請求項１６】
前記情報データが、接続状態にある携帯オーディオ機器から読み取ったオーディオデータに対応する楽曲情報データであるとともに、該楽曲情報データが、楽曲に関連する文字情報を内容とする楽曲文字データである場合に、該楽曲文字データを構成する文字データに対応するフォントデータをもとに前記送出用画像データを生成することを特徴とする請求項１４または１５記載の車載用オーディオ装置の情報の画像化及び送出方法。
【請求項１７】
前記情報データが、接続状態にある携帯オーディオ機器から読み取ったオーディオデータに対応する楽曲情報データであるとともに、該楽曲情報データが、楽曲に関連する画像情報を内容とする楽曲画像データである場合に、該楽曲画像データをもとに前記送出用画像データを生成する前に、該楽曲画像データの形式を判別し、判別した楽曲画像データの形式が、前記携帯オーディオ機器で表示可能な画像データの形式である場合に、判別を行った楽曲画像データを前記送出用画像データとして前記携帯オーディオ機器に送出することを特徴とする請求項１４または１５記載の車載用オーディオ装置の情報の画像化及び送出方法。
【請求項１８】
前記情報データが、前記オーディオ装置の機能に対する設定情報を模式的に示した画像情報を内容とする設定情報画像データである場合に、前記オーディオ装置の機能に対する設定を行うための設定モードが選択操作されたときに、選択操作された設定モードの設定対象となる機能に対応する設定情報画像データをもとに前記送出用画像データを生成するとともに、該送出用画像データを前記携帯オーディオ機器に送出することを特徴とする請求項１４記載の車載用オーディオ装置の情報の画像化及び送出方法。
【請求項１９】
前記情報データが、前記オーディオ装置の機能に対する設定情報を模式的に示した画像情報を内容とする設定情報画像データである場合に、前記オーディオ装置の機能に対する設定操作が行われたときに、設定操作が行われた機能に対応する設定情報画像データをもとに前記送出用画像データを生成するとともに、該送出用画像データを前記携帯オーディオ機器に送出することを特徴とする請求項１４または１８記載の車載用オーディオ装置の情報の画像化及び送出方法。
【請求項２０】
さらに前記設定情報を内容とする設定情報データをもとに、前記設定情報画像データを生成することを特徴とする請求項１８または１９記載の車載用オーディオ装置の情報の画像化及び送出方法。
【請求項２１】
前記送出用画像データがビットマップ形式の画像データであることを特徴とする請求項１４から２０いずれか１項記載の車載用オーディオ装置の情報の画像化及び送出方法。
【発明の詳細な説明】
【技術分野】
【０００１】
本発明は、車載用オーディオ装置及び車載用オーディオ装置の情報の画像化及び送出方法に関し、特に携帯オーディオ機器と接続可能な車載用オーディオ装置及び車載用オーディオ装置の情報の画像化及び送出方法に関する。
【背景技術】
【０００２】
近年、携帯電話機等の携帯端末を利用してインターネット経由で楽曲を入手する例が一般化してきている。また、携帯端末を車載用オーディオ装置と接続して利用する例も一般化しつつある。係る趨勢のもと、例えば特許文献１では携帯端末のインターネット機能を利用してインターネット配信の楽曲を音源として使用することで、市販の高価なカーオーディオ装置を設置することなく、車両内においても自分の好きな楽曲を聴くことができる車載用オーディオ装置が提案されている。特許文献１によると、この車載用オーディオ装置に係る携帯端末はインターネットで配信されている音楽データを受信でき、受信した音楽データに関する情報を表示する表示画面を有している。このため上記車載用オーディオ装置によれば、この表示画面を介して曲名やアーティスト名などを知ることができる。
【０００３】
【特許文献１】特開２００２−１４９１６５号公報
【発明の開示】
【発明が解決しようとする課題】
【０００４】
ところで、近年普及している携帯オーディオ機器も車載用オーディオ装置と接続して利用される例が一般化しつつある。携帯オーディオ機器も一般に表示部を備えているが、この携帯オーディオ機器の中には、車載用オーディオ装置と接続されている状態では車載用オーディオ装置から画像データの入力を受け付けるとともに、入力された画像データを表示部に表示するようになっているものがある。具体的には例えば車載用オーディオ装置にＵＳＢ（Universal Serial Bus）接続されている状態で係る表示を行うようにしている携帯オーディオ機器がある。
【０００５】
図７は、ＵＳＢ接続された一般的な車載用オーディオ装置１００Ｘと携帯オーディオ機器２００の表示状態を模式的に示す図である。携帯オーディオ機器２００はＵＳＢ接続状態で入力された画像を表示部２１０に表示するようになっている。また表示部２１０はＬＣＤ（liquid Crystal Display）が適用されている。このため、車載用オーディオ装置１００Ｘは例えば自社のロゴを内容とする画像データを携帯オーディオ機器２００に送出するような態様で、係る携帯オーディオ機器２００の表示部２１０を利用することができる。
【０００６】
その一方で車載用オーディオ装置が備える表示部には、車載用オーディオ装置をより安価に提供できるようにセグメントディスプレイ（例えば１４セグメントディスプレイや１６セグメントディスプレイ）が適用されている場合がある。セグメントディスプレイでは一般に算用数字やアルファベットなどは表示できるが、より複雑な漢字やひらがななどは表現が困難なため表示できない。このため、上記の携帯オーディオ機器と車載用オーディオ装置との組み合わせでは、双方で楽曲再生中に漢字やかな文字を含む曲名やアーティスト名などを表示できないことになる。なお、この場合、車載用オーディオ装置では例えば図７に示すように「ＮＯ  ＳＵＰＰＯＲＴ」といった表示を行うようにしていることが多い。
【０００７】
さらに近年では車載用オーディオ装置も高機能化しており、車載用オーディオ装置が備える種々の機能に対してユーザが設定操作を行えるようになっている。係る設定操作に際して、セグメントディスプレイを備える車載用オーディオ装置では、機能の設定内容を模式的に表現することが困難なことから、アルファベットと算用数字をうまく組み合わせて設定内容を簡略的に表現して表示するようにしていることが多い。しかしながら係る表示は直感的に設定内容を把握し難いことから、ユーザは慣れるまでの間、取扱説明書を参照しつつ、或いは操作した結果に基づき感覚的に設定操作を行うことなどを強いられる。このため、セグメントディスプレイを備える車載用オーディオ装置ではユーザに係る点で利便性が劣るとともに、このような不都合によって有用な機能が十分に有効利用されなくなる虞などもあった。またＬＣＤを備える車載用オーディオ装置であっても、表示部のサイズが小さい場合には機能の設定内容を模式的に表現することは困難であった。
【０００８】
そこで、本発明は上記の課題に鑑みてなされたものであり、表示部に安価なセグメントディスプレイなどを適用しており、且つ接続状態で携帯オーディオ機器が入力された画像データを表示するようにしている場合でも、携帯オーディオ機器の表示部を利用して、ユーザに対して有用な情報を提供することが可能な車載用オーディオ装置及び車載用オーディオ装置の情報の画像化及び送出方法を提供することを目的とする。
【課題を解決するための手段】
【０００９】
上記課題を解決するために、本発明は、携帯オーディオ機器と接続可能な車載用オーディオ装置であって、視覚的に伝達可能な情報を内容とする情報データをもとに前記携帯オーディオ機器で表示可能な形式の送出用画像データを生成する画像データ生成手段と、該画像データ生成手段が生成した送出用画像データを、接続状態にある前記携帯オーディオ機器に送出する画像データ送出手段とを備えることを特徴とする。本発明によれば、表示部にセグメントディスプレイなどを適用しており、且つ接続状態で携帯オーディオ機器が入力された画像データを表示するようにしている場合でも、携帯オーディオ機器の表示部を利用してユーザに対して有用な情報を提供することができる。なお、請求項１記載の接続状態とは、入力された画像データに基づく表示を携帯オーディオ機器側で行うようにしている接続状態を意味し、具体的には例えばＵＳＢ接続状態が該当するがこれに限定されない。また有線に限られず、無線で確立した接続状態であってもよい。
【００１０】
また本発明は、前記情報データが、接続状態にある携帯オーディオ機器から読み取ったオーディオデータに対応する楽曲情報データであってもよい。具体的には例えば上記楽曲情報データの内容がユーザに対する有用な情報として好適であることから、情報データは楽曲情報データであることが好ましい。なお、オーディオデータと楽曲情報データとは１つのデータとして一体化されていてもよく、関連付けられていてもよい。
【００１１】
また本発明は、再生指令に基づき、接続状態にある前記携帯オーディオ機器からオーディオデータと該オーディオデータに対応する楽曲情報データを読み取った際に、前記画像データ生成手段が、読み取った楽曲情報データをもとに前記送出用画像データを生成するとともに、前記画像送出手段が該送出用画像データを前記携帯オーディオ機器に送出してもよい。具体的には例えば本発明のように生成及び送出を行うことが好ましい。
【００１２】
また本発明は、前記楽曲情報データが、楽曲に関連する文字情報を内容とする楽曲文字データであってもよい。具体的には例えば楽曲情報データとして上記の楽曲文字データに対応できることが好ましい。なお、楽曲に関連する文字情報とは、例えばその楽曲の曲名やアーティスト名や作詞、作曲者名や発売年月などのほか、携帯オーディオ機器に格納されているときのフォルダ番号やファイル番号など楽曲に関連する種々の文字情報であってよい。
【００１３】
また本発明は、前記画像データ生成手段が、フォントデータを格納したデータ格納手段から、前記楽曲文字データを構成する前記文字データに対応するフォントデータを前記データ格納手段から読み取るとともに、読み取ったフォントデータをもとに前記送出用画像データを生成してもよい。具体的には例えば本発明のようにして楽曲文字データから送出用画像データを生成することが好適である。なお、文字データとは具体的には例えば文字コードであり、ＪＩＳ（Japan Industrial Standard）コードやＡＳＣＩＩ（American Standard Code for Information Interchange）コードやＵＮＩコードなど種々の文字コードであってよい。
【００１４】
また本発明は、前記楽曲情報データが、楽曲に関連する画像情報を内容とする楽曲画像データであってもよい。ここで近年では市販されている楽曲に例えばジャケットやアーティストの画像データなど、楽曲に関連する画像情報を内容とする楽曲画像データが収録されていることがある。このため具体的には例えば楽曲情報データとして上記の楽曲画像データに対応できることが好適である。
【００１５】
また本発明は、さらに前記画像データ生成手段が前記送出用画像データを生成する前に、前記楽曲画像データの形式を判別する画像データ形式判別手段を備えるとともに、該画像データ判別手段が判別した楽曲画像データの形式が、前記携帯オーディオ機器で表示可能な画像データの形式である場合に、前記画像データ送出手段が、前記画像データ形式判別手段が判別を行った楽曲画像データを前記送出用画像データとして前記携帯オーディオ機器に送出してもよい。
【００１６】
ここで楽曲画像データの形式がもともと携帯オーディオ機器で表示可能な画像データの形式である場合には変換（送出用画像データの生成）が不要になる。このため、例えば本発明のように画像データの形式を判別することが好適である。なお、本発明はデータ形式判別手段が画像データ生成手段の一部として構成される場合も含むものである。また、車載用オーディオ装置に接続された状態で入力された画像データに基づく表示を行うようにしている携帯オーディオ機器に対しては、変換が不要な場合でも本発明のようにして楽曲画像データを送出用画像データとして送出することによって、初めて画像を表示させることが可能になる。
【００１７】
また本発明は、前記情報データが、前記オーディオ装置の機能に対する設定情報を模式的に示した画像情報を内容とする設定情報画像データであってもよい。具体的には例えば上記設定情報画像データの内容がユーザに対する有用な情報として好適であることから、情報データは設定情報画像データであることが好ましい。
【００１８】
また本発明は、前記オーディオ装置の機能に対する設定を行うための設定モードが選択操作されたときに、前記画像データ生成手段が、選択操作された設定モードの設定対象となる機能に対応する設定情報画像データをもとに前記送出用画像データを生成するとともに、前記画像送出手段が該送出用画像データを前記携帯オーディオ機器に送出してもよい。具体的には例えば本発明のように設定モードの選択操作が行われたときに生成及び送出を行うことが好ましい。
【００１９】
また本発明は、前記オーディオ装置の機能に対する設定操作が行われたときに、前記画像データ生成手段が、設定操作が行われた機能に対応する前記設定情報画像データをもとに前記送出用画像データを生成するとともに、前記画像送出手段が該送出用画像データを前記携帯オーディオ機器に送出してもよい。また例えば本発明のように設定操作が行われたときに、その都度生成及び送出を行うことがましい。
【００２０】
また本発明は、前記設定情報が、前記オーディオ装置のスピーカ各々の発音タイミングを調整可能にする機能に対する設定情報であるとともに、前記設定情報画像データが、前記設定情報をスピーカの仮想配置で模式的に示した画像を内容とするデータであってもよい。設定情報画像データとしては、具体的には例えば上記のような設定情報を模式的に示した画像を内容とするものが好ましい。
【００２１】
また本発明は、さらに前記設定情報を内容とする設定情報データをもとに、前記設定情報画像データを生成する設定情報画像生成手段を備えてもよい。具体的には例えば本発明のようにして設定情報画像データを生成することが好適である。なお、本発明は設定情報画像生成手段が画像データ生成手段の一部として構成される場合も含むものである。この場合には設定情報データから設定情報画像データを生成するときに、同時にこの設定情報画像データを送出用画像データとして生成することができる。すなわちこの場合には設定情報画像データは実質的に生成されずに、設定情報データをもとに送出用画像データを生成することができる。一方、設定情報画像生成手段が画像データ生成手段と個別に構成される場合には、設定情報画像生成手段は一定の形式の設定情報画像データを生成すればよいことから、機能を分離した分、設計の容易化などが図られる。
【００２２】
また本発明は、前記送出用画像データがビットマップ形式の画像データであってもよい。但しこれに限られず、送出用画像データは、携帯オーディオ機器の仕様に応じて例えばＪＰＥＧ（Joint Photographic Experts Group）形式など種々の形式の画像データとすることが可能である。なお、送出用画像データに適用する画像データの形式は接続された携帯オーディオ機器を認識した際に自動的に判別できるようにすることが好適であるが、手動操作で設定するようにしてもよい。
【００２３】
また本発明は、携帯オーディオ機器と接続可能な車載用オーディオ装置の情報の画像化及び送出方法であって、視覚的に伝達可能な情報を内容とする情報データをもとに前記携帯オーディオ機器で表示可能な形式の送出用画像データを生成し、生成した送出用画像データを接続状態にある前記携帯オーディオ機器に送出することを特徴とする。
【００２４】
また本発明は、前記情報データが、接続状態にある携帯オーディオ機器から読み取ったオーディオデータに対応する楽曲情報データである場合に、再生指令に基づき、接続状態にある前記携帯オーディオ機器からオーディオデータと該オーディオデータに対応する楽曲情報データを読み取った際に、読み取った楽曲情報データをもとに前記送出用画像データを生成するとともに、該送出用画像データを前記携帯オーディオ機器に送出してもよい。
【００２５】
また本発明は、前記情報データが、接続状態にある携帯オーディオ機器から読み取ったオーディオデータに対応する楽曲情報データであるとともに、該楽曲情報データが、楽曲に関連する文字情報を内容とする楽曲文字データである場合に、該楽曲文字データを構成する文字データに対応するフォントデータをもとに前記送出用画像データを生成してもよい。
【００２６】
また本発明は、前記情報データが、接続状態にある携帯オーディオ機器から読み取ったオーディオデータに対応する楽曲情報データであるとともに、該楽曲情報データが、楽曲に関連する画像情報を内容とする楽曲画像データである場合に、該楽曲画像データをもとに前記送出用画像データを生成する前に、該楽曲画像データの形式を判別し、判別した楽曲画像データの形式が、前記携帯オーディオ機器で表示可能な画像データの形式である場合に、判別を行った楽曲画像データを前記送出用画像データとして前記携帯オーディオ機器に送出してもよい。
【００２７】
また本発明は、前記情報データが、前記オーディオ装置の機能に対する設定情報を模式的に示した画像情報を内容とする設定情報画像データである場合に、前記オーディオ装置の機能に対する設定を行うための設定モードが選択操作されたときに、選択操作された設定モードの設定対象となる機能に対応する設定情報画像データをもとに前記送出用画像データを生成するとともに、該送出用画像データを前記携帯オーディオ機器に送出してもよい。
【００２８】
また本発明は、前記情報データが、前記オーディオ装置の機能に対する設定情報を模式的に示した画像情報を内容とする設定情報画像データである場合に、前記オーディオ装置の機能に対する設定操作が行われたときに、設定操作が行われた機能に対応する設定情報画像データをもとに前記送出用画像データを生成するとともに、該送出用画像データを前記携帯オーディオ機器に送出してもよい。
【００２９】
また本発明は、さらに前記設定情報を内容とする設定情報データをもとに、前記設定情報画像データを生成してもよい。
【００３０】
また本発明は、前記送出用画像データがビットマップ形式の画像データであってもよい。
【発明の効果】
【００３１】
本発明によれば、表示部に安価なセグメントディスプレイなどを適用しており、且つ接続状態で携帯オーディオ機器が入力された画像データを表示するようにしている場合でも、携帯オーディオ機器の表示部を利用して、ユーザに対して有用な情報を提供することが可能な車載用オーディオ装置及び車載用オーディオ装置の情報の画像化及び送出方法を提供できる。
【発明を実施するための最良の形態】
【００３２】
以下、本発明を実施するための最良の形態を図面と共に詳細に説明する。
【００３３】
図１は車載用オーディオ装置（以下、単にオーディオ装置と称す）１００の構成を携帯オーディオ機器２００とともに模式的に示す図である。図１では携帯オーディオ機器２００がオーディオ装置１００にＵＳＢ接続されている状態を示している。この状態で携帯オーディオ機器２００は、オーディオ装置１００から入力された画像データを表示部２１０に表示するようになっている。またこの状態で携帯オーディオ機器２００は、ビットマップ形式の画像データを表示できるようになっている。なお、表示部２１０にはＬＣＤが適用されている。携帯オーディオ機器２００はＨＤＤ（Hard Disk Drive）を内蔵しており、ＨＤＤにはＭＰ３（Mpeg Audio Layer-3）形式の楽曲データなどが格納されている。
【００３４】
オーディオ装置１００は、マイクロコンピュータ１０と、ＤＳＰ（Digital Signal Processor）２０と、アンプ３０と、セグメントディスプレイ４０と、記憶装置５０と操作部（図示省略）とを有して構成されている。またアンプ３０にはスピーカ６０が接続されている。なお、オーディオ装置１００はヘッドユニット（図示省略）に接続可能なものであってもよい。ヘッドユニットは接続された各種の装置の作動を統合的に制御するための構成であり、ヘッドユニットには、各種の装置として例えばオーディオ装置１００のほかデジタルオーディオ放送受信機やＣＤチェンジャやＤＶＤオーディオプレーヤ等の装置を接続することができる。この場合、アンプ３０や操作部は他の装置と共用できるようにヘッドユニットに備えられていてもよい。またこの場合、オーディオ装置１００を含むこれらの各種の装置はヘッドユニットとともに一体的な車載システムを構成していてもよい。またオーディオ装置１００はヘッドユニットの一部として構成されていてもよい。
【００３５】
マイクロコンピュータ１０は、図示しないＣＰＵ（Central Processing Unit：中央演算処理装置）、ＲＯＭ（Read Only Memory）、ＲＡＭ（Random Access Memory）及び入出力回路等を有して構成されている。ＲＯＭにはオーディオ装置１００の作動を制御するための種々のプログラムが格納されており、マイクロコンピュータ１０では、ＣＰＵがＲＯＭに格納されたプログラムに基づき種々の処理を実行することで、通信部１１と、データ解析部１２と、音声デコード部１３と、表示生成部１４と設定情報画像生成部１５とが実現される。
【００３６】
通信部１１は、携帯オーディオ機器２００とデータ通信を行うための構成である。通信部１１は、ユーザが操作する図示しない操作部からの指令に基づき、携帯オーディオ機器２００からオーディオデータ及び該オーディオデータに対応する楽曲情報データを取得し、これらのデータをデータ解析部１２に受け渡す。なお、オーディオデータ及び該オーディオデータに対応する楽曲情報データは例えば楽曲データとして一体化されていてもよく、関連付けられていてもよい。
【００３７】
データ解析部１２は、受け取ったデータをオーディオデータと楽曲情報データに分解するための構成である。データ解析部１２はオーディオデータを音声デコード部１３に、楽曲情報データを表示生成部１４に夫々受け渡す。音声デコード部１３は、オーディオデータの圧縮オーディオ信号を伸長処理し、デジタルオーディオ信号としてＤＳＰ２０に出力するための構成である。ＤＳＰ２０は音質調整を行うための構成であり、音質調整が行われたデジタルオーディオ信号は、図示しないＤ／Ａ変換器でアナログのオーディオ信号に変換された後、アンプ３０を介してスピーカ６０に出力される。
【００３８】
表示生成部１４は表示情報を生成するための構成である。表示生成部１４は受け取った楽曲情報データをセグメントディスプレイ４０に表示する情報のデータと、携帯オーディオ機器２００の表示部２１０に表示する情報のデータとに分類する。具体的には表示生成部１４はまず楽曲情報データを楽曲文字データと楽曲画像データに分類する。楽曲画像データに分類された楽曲情報データは、携帯オーディオ機器２００に表示する情報のデータに分類される。
【００３９】
続いて表示生成部１４は、楽曲画像データに分類された楽曲情報データの形式を判別する。そして判別した楽曲画像データの形式が、携帯オーディオ機器２００で表示可能な画像データの形式（本実施例ではビットマップ形式）でない場合には、表示生成部１４は、楽曲画像データをもとに携帯オーディオ機器２００で表示可能な形式（本実施例ではビットマップ形式）の送出用画像データを生成して通信部１１に受け渡す。具体的には例えば楽曲画像データがＪＰＥＧ形式の画像データである場合にはビットマップ形式に変換するとともに、変換した楽曲画像データを送出用画像データとして通信部１１に受け渡す。通信部１１は受け取った送出用画像データを携帯オーディオ機器２００に送出する。これにより送出用画像データが表示部２１０に表示されるようになる。一方、判別した楽曲画像データの形式が携帯オーディオ機器２００で表示可能な画像データの形式である場合には、表示生成部１４はこの楽曲画像データをそのまま通信部１１に受け渡す。通信部１１は受け取った楽曲画像データを送出用画像データとして携帯オーディオ機器２００に送出する。これにより送出用画像データが表示部２１０に表示されるようになる。
【００４０】
ところで楽曲文字データに分類された楽曲情報データは、さらに表示生成部１４によってセグメントディスプレイ４０に表示する情報のデータか、携帯オーディオ機器２００に表示する情報のデータに分類される。具体的には本実施例ではファイル番号やフォルダ番号などのデータはセグメントディスプレイ４０に表示する情報のデータに分類される。これに対して、アーティスト名や曲名などのデータは携帯オーディオ機器２００に表示する情報のデータに分類される。セグメントディスプレイ４０に表示する情報のデータは表示生成部１４でセグメントディスプレイ４０の表示形式に応じた表示データに変換された後にセグメントディスプレイ４０に出力される。なお、上記のようにデータの種別で分類するほか、或いはデータの種別で分類するのに加えて、例えば楽曲文字データを構成する文字コード（文字データ）がＡＳＣＩＩコードである場合には、セグメントディスプレイ４０に表示する情報のデータに分類し、ＪＩＳコードである場合には、携帯オーディオ機器２００に表示する情報のデータに分類することなども可能である。
【００４１】
図２はオーディオ装置１００及び携帯オーディオ機器２００の第１の表示状態を模式的に示す図であり、この第１の表示状態は楽曲画像データをもとに生成した送出用画像データに基づく表示が携帯オーディオ機器２００で行われているときの表示状態を示している。オーディオ装置１００のセグメントディスプレイ４０には、例えば再生中の楽曲に対応するフォルダ番号及びファイル番号と、プレイタイムなどを表示することができる。これに対して、携帯オーディオ機器２００の表示部２１０には再生中の楽曲に関連する画像が表示される。この画像は楽曲画像データをもとに生成した送出用画像データに基づくものである。これによりユーザはセグメントディスプレイ４０を備えるオーディオ装置１００でも、楽曲に関連して収録されている画像を見ることができるようになる。
【００４２】
一方、携帯オーディオ機器２００に表示する情報のデータに分類された楽曲文字データは、表示生成部１４で送出用画像データに生成される。このとき、表示生成部１４は楽曲文字データを構成する各文字コードに対応するフォントデータを記憶装置５０から読み取る。記憶装置５０は種々のデータを格納するための構成である。本実施例では記憶装置５０はＲＯＭで実現されており、このＲＯＭはフォントデータ専用のもの（以下、フォントＲＯＭと称す）となっている。なお、記憶装置５０を備える代わりにマイクロコンピュータ１０のＲＯＭにフォントデータを格納するようにしてもよい。また記憶装置５０の代わりに、フォントデータを格納した記録媒体を読み取る読取装置を備えるとともに、表示生成部１４がこの読取装置を介して記録媒体からフォントデータを読み取るようにしてもよい。記録媒体から。表示生成部１４は読み取ったフォントデータをもとに送出用画像データを生成する。
【００４３】
図３は楽曲文字データから送出用画像データを生成する方法を模式的に示す図である。フォントＲＯＭでは、漢字、かな文字のフォントデータが図３に示すようなビットマップパターンで格納されている。このため、表示生成部１４はフォントＲＯＭの仕様に応じた規則に従って、楽曲文字データを構成する文字コードをフォントＲＯＭのアドレス値に変換するとともに、このアドレス値を先頭にして規定Ｗｏｒｄ数（本実施例では１６Ｗｏｒｄ）のデータをフォントＲＯＭから読み出す。これにより文字コードから文字の画像データを得ることができる。表示生成部１４は、上記のようにして楽曲文字データを構成する各文字コードについて文字の画像データを得るとともに、これらのデータを送出用画像データ生成用に用意されたＲＡＭのメモリ領域の適切な位置に配置することで送出用画像データを生成する。
【００４４】
なお、上記のようにして生成した送出用画像データはビットマップ形式の画像データとなる。また仮に携帯オーディオ機器２００で表示可能な画像データの形式がビットマップ形式以外の形式、例えばＪＰＥＧ形式である場合には、上記のようにして生成した送出用画像データをさらにＪＰＥＧ形式に変換したものを送出用画像データとすればよい。表示生成部１４は、送出用画像データを通信部１１に受け渡し、通信部１１は受け取った送出用画像データを携帯オーディオ機器２００に送出する。これにより送出用画像データが表示部２１０に表示されるようになる。
【００４５】
図４はオーディオ装置１００及び携帯オーディオ機器２００の第２の表示状態を模式的に示す図であり、この第２の表示状態は楽曲文字データから生成した送出用画像データに基づく表示が携帯オーディオ機器２００で行われているときの表示状態を示している。オーディオ装置１００のセグメントディスプレイ４０には、第１の表示状態と同様に再生中の楽曲に対応するフォルダ番号及びファイル番号と、プレイタイムなどを表示することができる。これに対して、携帯オーディオ機器２００の表示部２１０には再生中の楽曲の曲名やアーティスト名が表示される。この画像は楽曲文字データをもとに生成した送出用画像データに基づくものである。これによりユーザはセグメントディスプレイ４０を備えるオーディオ装置１００でも、再生中の楽曲の曲名やアーティスト名を見ることができるようになる。
【００４６】
設定情報画像生成部１５は、オーディオ装置１００の機能に対する設定情報を内容とする設定情報データをもとに、設定情報画像データを生成するための構成である。設定情報画像生成部１５は、生成した設定情報画像データを表示生成部１４に受け渡す。表示生成部１４は受け取った設定情報画像データをもとに携帯オーディオ機器２００で表示可能な形式（本実施例ではビットマップ形式）の送出用画像データを生成して通信部１１に受け渡す。通信部１１は受け取った送出用画像データを携帯オーディオ機器２００に送出する。これにより送出用画像データが表示部２１０に表示されるようになる。なお、設定情報画像生成部１５は表示生成部１４の一部として構成されてもよい。
【００４７】
図５はオーディオ装置１００及び携帯オーディオ機器２００の第３の表示状態を模式的に示す図であり、この第３の表示状態は設定情報画像データをもとに生成した送出用画像データに基づく表示が携帯オーディオ機器２００で行われているときの表示状態を示している。また図５では、設定情報としてＴＣＲ（タイムコレクション）機能に対する設定情報を表示する例を示している。このＴＣＲとは、スピーカ６０各々の発音タイミングを調整可能にする機能である。オーディオ装置１００のセグメントディスプレイ４０には、ＴＣＲ機能に対する設定情報を簡略的に表示することができる。図５に示す例では、「ＦＲ」で現在の表示が前方（Ｆｒｏｎｔ）右側（Ｒｉｇｈｔ）のスピーカ６０の設定情報であることを示しており、「＋４．９ＭＳ」で４．９ｍｓｅｃだけ「ＦＲ」のスピーカの発音タイミングが基準値よりも遅れるように設定されていることを示している。
【００４８】
これに対して、携帯オーディオ機器２００の表示部２１０には上記の設定情報をスピーカ６０の仮想配置で模式的に示した画像が表示される。この画像は設定情報画像データをもとに生成した送出用画像データに基づくものである。これによりユーザはセグメントディスプレイ４０を備えるオーディオ装置１００でも、オーディオ装置１００の機能に対する設定情報を視覚的に理解し易い形で見ることができるようになる。
【００４９】
次に、オーディオ装置１００の動作を図６に示すシーケンスチャートを用いて詳述する。なお、図６（ａ）に示す第１のシーケンスチャートは第１の表示状態になるまでの過程に、図６（ｂ）に示す第２のシーケンスチャートは第２の表示状態になるまでの過程に、図６（ｃ）に示す第３のシーケンスチャートは第３の表示状態になるまでの過程に夫々対応するものである。携帯オーディオ機器２００で楽曲画像データに基づく画像の表示をしようとしている場合には、ユーザ操作等に基づく再生指令のもと、図６（ａ）に示すように携帯オーディオ機器２００からオーディオ装置１００にオーディオデータ及びこのオーディオデータに関連する楽曲情報データが読み取られる。この楽曲情報データは楽曲画像データを含むものであり、オーディオ装置１００は、読み取った楽曲画像データをもとに送出用画像データを生成するとともに、生成した送出用画像データを携帯オーディオ装置２００に送出する。またオーディオ装置１００は読み取ったオーディオデータに基づく再生を行う。これによりオーディオ装置１００及び携帯オーディオ装置２００の表示は第１の表示状態になる。
【００５０】
また携帯オーディオ機器２００で楽曲文字データに基づく文字の表示をしようとしている場合には、ユーザ操作等に基づく再生指令のもと、図６（ｂ）に示すように携帯オーディオ機器２００からオーディオ装置１００にオーディオデータ及びこのオーディオデータに関連する楽曲情報データが読み取られる。この楽曲情報データは楽曲文字データを含むものであり、オーディオ装置１００は楽曲文字データをもとに送出用画像データを生成するとともに、生成した送出用画像データを携帯オーディオ装置２００に送出する。またオーディオ装置１００は読み取ったオーディオデータに基づく再生を行う。これによりオーディオ装置１００及び携帯オーディオ装置２００の表示は第２の表示状態になる。
【００５１】
なお、楽曲画像データに基づく画像の表示をするか、または楽曲文字データに基づく文字の表示をするかは、ユーザ操作に基づき設定、或いは切り替えできるようにすることができる。また例えば楽曲文字データに基づく文字の表示と、自動で楽曲画像データに基づく画像の表示とを楽曲再生中に一定時間毎に自動で切り替えるようにすることなども可能である。
【００５２】
またユーザ操作に基づきオーディオ装置１００の機能に対する設定モードが選択操作されたときには、図６（ｃ）に示すようにオーディオ装置１００は設定情報画像データをもとに送出用画像データを生成するとともに、生成した送出用画像データを携帯オーディオ装置２００に送出する。さらにユーザ操作に基づきオーディオ装置１００の機能に対する設定操作が行われたときにも、オーディオ装置１００は、その都度設定操作が行われた機能に対応する設定情報画像データをもとに送出用画像データを生成するとともに、生成した送出用画像データを携帯オーディオ機器２００に送出する。これによりオーディオ装置１００及び携帯オーディオ装置２００の表示は第３の表示状態になる。
【００５３】
本実施例では、表示生成部１４で画像データ生成手段と画像データ形式判別手段とが、通信部１１で画像データ送出手段が、記憶装置５０でデータ格納手段が、設定情報画像生成部１５で設定情報画像生成手段が夫々実現されている。以上により、表示部に安価なセグメントディスプレイなどを適用しており、且つ接続状態で携帯オーディオ機器２００が入力された画像データを表示するようにしている場合でも、携帯オーディオ機器２００の表示部２１０を利用して、ユーザに対して有用な情報を提供することが可能なオーディオ装置１００及び車載用オーディオ装置１００の情報の画像化及び送出方法を実現できる。
【００５４】
上述した実施例は本発明の好適な実施の例である。但し、これに限定されるものではなく、本発明の要旨を逸脱しない範囲内において種々変形実施可能である。例えば本発明はオーディオ装置の表示部にセグメントディスプレイが適用されている場合に特に好適であるが、これに限られず、ＬＣＤ等が適用されている場合でも実施可能である。
【図面の簡単な説明】
【００５５】
【図１】オーディオ装置１００の構成を携帯オーディオ機器２００とともに模式的に示す図である。
【図２】オーディオ装置１００及び携帯オーディオ機器２００の第１の表示状態を模式的に示す図である。
【図３】楽曲文字データから送出用画像データを生成する方法を模式的に示す図である。
【図４】オーディオ装置１００及び携帯オーディオ機器２００の第２の表示状態を模式的に示す図である。
【図５】オーディオ装置１００及び携帯オーディオ機器２００の第３の表示状態を模式的に示す図である。
【図６】オーディオ装置１００の動作を示すシーケンスチャートである。
【図７】ＵＳＢ接続された一般的なオーディオ装置１００Ｘと携帯オーディオ機器２００の表示状態を模式的に示す図である。
【符号の説明】
【００５６】
１０  マイクロコンピュータ
１１  通信部
１４  表示生成部
１５  設定情報画像生成部
４０  セグメントディスプレイ
１００  オーディオ装置
２００  携帯オーディオ機器
２１０  表示部
【図１】
2008146755.tif 000003
【図２】
2008146755.tif 000004
【図３】
2008146755.tif 000005
【図４】
2008146755.tif 000006
【図５】
2008146755.tif 000007
【図６】
2008146755.tif 000008
【図７】
2008146755.tif 000009